(57)【要約】【課題】受信信号電力は変動するのに対してＳ／Ｎは変動しない通信環境、又は受信信号電力及び雑音電力が独立して変動する通信環境において、正しく尤度値を算出し、誤り訂正処理を行うことができる受信装置、誤り訂正復号装置及び誤り訂正復号方法を提供すること。【解決手段】受信信号の雑音電力成分の変動量、又はＳ／Ｎの変動の有無に基づいて軟判定尤度値の補正の必要性を判断し、その判断結果に基づいて軟判定尤度値の補正を必要に応じて行うことにより、不要な補正による誤り訂正能力の低下を防止することである。【選択図】　　　図１
2004104717.tif 000002
【特許請求の範囲】
【請求項１】
受信信号の総信号電力を一定に保つ利得制御手段と、
前記利得制御手段によって総受信信号電力が一定に保たれた信号に対して、その受信符号系列を最尤復号する際に、各受信符号についてその候補符号の尤度を多値レベルの尤度で与えるとともに、この尤度を必要に応じて補正する尤度値算出手段と、
前記受信信号に含まれる雑音成分の変動を検出する雑音成分変動検出手段と、
前記雑音成分変動検出手段の検出結果に基づいて、前記尤度に対する、前記受信信号の瞬時振幅に依存した前記補正を行うか否かを判断する補正制御手段と、
を具備することを特徴とする受信装置。
【請求項２】
受信信号の総信号電力を一定に保つ利得制御手段と、
前記利得制御手段によって総受信信号電力が一定に保たれた信号に対して、その受信符号系列を最尤復号する際に、各受信符号についてその候補符号の尤度を多値レベルの尤度で与えるとともに、この尤度を必要に応じて補正する尤度値算出手段と、
前記受信信号に含まれる希望波成分と雑音成分との比の変動を示唆する情報に基づいて、前記尤度に対する、前記受信信号の瞬時振幅に依存した前記補正を行うか否かを判断する補正制御手段と、
を具備することを特徴とする受信装置。
【請求項３】
前記補正制御手段は、前記受信信号が送信電力制御の元で送信されたか否かに基づいて、前記補正の有無を判断することを特徴とする請求項２記載の受信装置。
【請求項４】
前記補正制御手段は、前記受信信号に含まれる雑音成分の主成分がマルチパスによるものであるか否かに基づいて、前記補正の有無を判断することを特徴とする請求項２記載の受信装置。
【請求項５】
受信信号の総信号電力を一定に保つ利得制御手段と、
前記利得制御手段によって総受信信号電力が一定に保たれた信号に対して、その受信符号系列を最尤復号する際に、各受信符号についてその候補符号の尤度を多値レベルの尤度で与えるとともに、この尤度に対して、前記受信信号の瞬時振幅に依存した重み係数の乗算及び前記受信信号に含まれる雑音成分値による除算を行う尤度値算出手段と、
を具備することを特徴とする受信装置。
【請求項６】
受信信号の受信符号系列を最尤復号する際に、各受信符号についてその候補符号の尤度を多値レベルの尤度で与えるとともに、この尤度に対して、前記受信信号の瞬時振幅に依存した重み係数の乗算及び前記受信信号に含まれる雑音成分値による除算を行う尤度値算出手段と、
前記尤度値算出手段において算出された尤度値に基づいて誤り訂正復号を行う復号手段と、
を具備することを特徴とする誤り訂正復号装置。
【請求項７】
受信信号の受信符号系列を最尤復号する際に、各受信符号についてその候補符号の尤度を多値レベルの尤度で与えるとともに、この尤度に対して、前記受信信号の瞬時振幅に依存した重み係数の乗算及び前記受信信号に含まれる雑音成分値による除算を行う尤度値算出ステップと、
前記尤度値算出手段において算出された尤度値に基づいて誤り訂正復号を行う復号ステップと、
を具備することを特徴とする誤り訂正復号方法。
【発明の詳細な説明】
【０００１】
【発明の属する技術分野】
本発明は、例えば、ＣＤＭＡ通信システムのように、受信信号電力は変動するが、受信信号の希望波成分と雑音成分との比は変動しない通信環境等において、使用される受信装置、誤り訂正復号装置及び誤り訂正復号方法に適用するに好適である。
【０００２】
【従来の技術】
従来の移動体通信システム等に用いられる受信装置においては、その受信回路に設けられたアナログディジタル変換回路の入力レンジが決まっていることにより、受信信号を一旦ＡＧＣ（Ａｕｔｏｍａｔｉｃ　Ｇａｉｎ　Ｃｏｎｔｒｏｌ）回路に入力し、ここで受信信号の電力を一定とした後に、これをアナログディジタル変換している。
【０００３】
ＡＧＣ回路において信号レベルが一定にされたＡＧＣ出力信号は、誤り訂正復号器に出力される。この誤り訂正復号器は、例えば送信側での畳み込み符号に対応して実行されるビタビ復号のような最尤度判定を行うものであり、算出された軟判定尤度値にＳ／Ｎの大きさが反映されるように、受信信号の信号レベル（瞬時受信振幅）に依存する重み係数を軟判定尤度値に乗算することにより、その軟判定尤度値を補正する。これにより、雑音電力は変動せず、また、受信信号電力のみがフェージングによって変動するような通信環境において、誤り訂正能力の低下を抑えるようになっていた（例えば特許文献１参照）。
【０００４】
すなわち、誤り訂正復号における尤度は、誤り訂正を行う対象となる信号（受信信号）のＳ／Ｎによって変化する。従って、各時点における軟判定尤度値の比は、各時点におけるＳ／Ｎの比（希望波成分と雑音成分との比）と等しくなければならない。
【０００５】
図１３は、雑音電力は変動せず受信信号電力のみがフェージングによって変動するような通信環境における、雑音電力と受信信号電力の変動例を示す信号波形図である。そして、この場合の各時点におけるＳ／Ｎは、受信信号電力／雑音電力によって表すことができ、この結果は図１４に示すようになる。図１４に示すように、受信信号のＳ／Ｎは、時点ｔにおいて「２」となり、時点ｔ＋１において「１１」となり、また時点ｔ＋２において「３」となる。
【０００６】
一方、受信装置においては、上述した理由により、総受信電力（受信信号電力及び雑音電力の和）を一定に保つために、ＡＧＣ回路を用いている。図１５は、図１３に示した信号波形図の条件において、ＡＧＣ回路を用いて各時点における総受信電力を「１２」に調整した場合の雑音電力及び受信信号電力の変動を示す信号波形図である。
【０００７】
また、この場合の軟判定尤度値は、各時点における軟判定尤度値の比と、受信信号電力の比とが等しくなることにより、受信信号電力との比例定数をｋとすると、図１６に示すようになる。図１６に示すように、受信信号の軟判定尤度値（補正なし）は、時点ｔにおいて「８ｋ」となり、時点ｔ＋１において「１１ｋ」となり、また時点ｔ＋２において「９ｋ」となる。
【０００８】
この場合、図１６に示した各時点における軟判定尤度値の比は、図１４に示した各時点におけるＳ／Ｎの比と一致しておらず、正しい軟判定尤度値は算出されていない。
【０００９】
これは、各時点におけるＳ／Ｎは変動しているにも関わらず、ＡＧＣ回路が総受信電力を一定にしていることにより、軟判定尤度値にＳ／Ｎが反映されないことを原因としている。
【００１０】
従って、このような通信環境では、ＡＧＣ回路を用いると正しく軟判定尤度値を算出することが困難となり、誤り訂正能力が低下する。このような場合、従来、軟判定尤度値にＳ／Ｎの大きさが反映されるように、瞬時受信振幅に依存する重み係数を軟判定尤度値に乗算することによる補正を行う。
【００１１】
この補正は、Ｓ／Ｎでの補正ではなく、瞬時受信振幅に依存する重み係数を用いた補正であるが、雑音電力が変動しない環境においては、各時点におけるＳ／Ｎの比と、瞬時受信振幅に依存する重み係数の比は等しい関係にあることにより、雑音電力が変動しない限りにおいて、正しい補正が行われる。
【００１２】
図１７は、軟判定尤度値に瞬時受信振幅に依存する重み係数を乗算した場合の、各時点における軟判定尤度値を示す図である。但しこの場合、瞬時受信振幅に依存する重み係数としては、瞬時受信振幅の２乗値である総受信電力値を用いている。
【００１３】
この図１７に示すように、各時点における軟判定尤度値の比は、図２の各時点におけるＳ／Ｎの値と一致しており、このように雑音電力が変動しない環境において用いられる限りにおいては、正しく軟判定尤度値を算出することができ、この結果、誤り訂正能力の低下を抑えることができる。
【００１４】
【特許文献１】
特開平５−３１５９７７号公報（第６頁、図８）
【００１５】
【発明が解決しようとする課題】
しかしながら、ＣＤＭＡ（Ｃｏｄｅ　Ｄｉｖｉｓｉｏｎ　Ｍｕｌｔｉｐｌｅ　Ａｃｃｅｓｓ）方式の移動体通信システム等では、他セルからの干渉は、多くの信号からなるので変動のないほぼ一定の電力となるが、受信信号が複数のパスを介して受信されるマルチパス信号は、フェージングによって電力が変動する。従って、フェージング環境において雑音電力の主成分がマルチパスによるものである場合は、その雑音電力（干渉成分）が変動する。
【００１６】
また、このような場合、マルチパス信号はレイク合成受信によって信号電力にもなることにより、雑音電力の変動と、受信信号電力の変動は、ほぼ一致し、結果的には、受信信号電力が変動しても、Ｓ／Ｎ（希望波成分と雑音成分との比）は大きく変動することはない通信環境となる。
【００１７】
このような通信環境が成立する他の条件としては、送信電力制御が挙げられる。この送信電力制御では、雑音電力や受信信号電力がフェージングによって変動した場合、受信側でのＳ／Ｎが常に一定となるように送信側で送信電力を制御するものである。従って、受信信号電力が変動しても、Ｓ／Ｎが変動しない通信環境となる。
【００１８】
このような通信環境における、雑音電力及び受信信号電力の変動の例を図１８に示す。そして、この図１８に示す雑音電力及び受信信号電力の変動状態における、各時点でのＳ／Ｎを図１９に示す。図１９に示すように、受信信号のＳ／Ｎは、時点ｔにおいて「２」となり、時点ｔ＋１において「２」となり、また時点ｔ＋２において「２」となる。
【００１９】
すなわち、図１８に示す雑音電力及び受信信号電力の変動例では、総受信信号電力が変動しているにも関わらず、そのＳ／Ｎは変動していない状態となっている。
【００２０】
このように総受信信号電力が変動する受信信号を、ＡＧＣ回路によって利得制御することにより、その総受信信号電力を「１２」に調整した状態を図２０に示す。
【００２１】
この図２０に示すように、もともとＳ／Ｎの変動がない受信信号をＡＧＣ回路によって利得制御し、その総受信信号電力が一定となるようにした場合、その結果である総受信信号電力に含まれる雑音電力及び受信信号電力は、それぞれ同じＳ／Ｎを保つように一定値となる。
【００２２】
この場合の、各時点での軟判定尤度値を図２１に示す。図２１に示すように、受信信号の軟判定尤度値（補正なし）は、時点ｔにおいて「２ｋ」となり、時点ｔ＋１において「２ｋ」となり、また時点ｔ＋２において「２ｋ」となる。すなわち、総受信信号電力が変動しているにも関わらず、そのＳ／Ｎが変動していない受信信号については、ＡＧＣ回路によってその総受信信号電力を一定にした状態（図２１）では図１８及び図１９に示したＳ／Ｎと同じ結果を得ることができる。
【００２３】
そして、このようにＡＧＣ回路によって利得制御された受信信号に対して、その軟判定尤度値に瞬時受信振幅に依存した重み係数（図１７の場合と同様に総受信電力を用いた）を乗算して補正した場合を図２２に示す。図２２に示すように、受信信号の軟判定尤度値（補正あり）は、時点ｔにおいて「６ｋ」となり、時点ｔ＋１において「２４ｋ」となり、また時点ｔ＋２において「１２ｋ」となる。
【００２４】
この図２２に示すように、総受信信号電力が変動しているにも関わらず、そのＳ／Ｎが変動していない受信信号については、ＡＧＣ回路によってその総受信信号電力を一定にした状態（図２１）からさらに瞬時振幅値を用い得た重み付け補正を行うと、その結果は、図１９に示した各時点でのＳ／Ｎとは異なるようになる。
【００２５】
すなわち、Ｓ／Ｎが変動しない状態を保ちながら総受信信号電力が変動する受信信号については、重み付け補正を行うことにより正しい軟判定尤度値を算出することが困難となり、その結果誤り訂正復号器における誤り訂正能力が低下する問題があった。
【００２６】
これは、雑音電力が変動している場合は、各時点における瞬時受信振幅に依存する重み係数の比と、各時点におけるＳ／Ｎの比が無相関であることにより、瞬時受信振幅に依存する重み係数を軟判定尤度値に乗算しても、各時点における軟判定尤度値の比は、各時点におけるＳ／Ｎの比とは等しくならないことを原因とする。
【００２７】
また、雑音電力及び受信信号電力が独立に変動する通信環境（Ｓ／Ｎが一定でない場合）においても、瞬時振幅値に依存する重み係数を乗算した補正を行った場合は、正しく軟判定尤度値を算出することが困難になる問題があった。
【００２８】
すなわち、図２３は、雑音電力及び受信信号電力が独立に変動する通信環境における、雑音電力及び受信信号電力の変動例を示す信号波形図である。そして、図２４は、図２３における各時点でのＳ／Ｎを示す図である。
【００２９】
この図２４に示すように、受信信号のＳ／Ｎは、時点ｔにおいて「２」となり、時点ｔ＋１において「２」となり、また時点ｔ＋２において「０．５」となる。
【００３０】
図２３に示した受信信号に対して、ＡＧＣ回路による利得制御を施すことにより、その総受信信号電力を一定値「１８」に保った場合の信号波形図を図２５に示し、各時点での軟判定尤度値を図２６に示す。
【００３１】
図２６は、ＡＧＣ回路による利得制御を行った後、瞬時振幅値に依存する重み係数を乗算した補正を行った場合と、行わない場合とを示す図である。この図２６に示すように、各時点での軟判定尤度値は、補正を行った場合及び補正を行わない場合のいずれにおいても、図２４に示したＳ／Ｎの比と一致していない。
【００３２】
すなわち、雑音電力及び受信信号電力が独立して変動している場合には、軟判定尤度値を補正すると軟判定尤度値を正しく算出することが困難となり、誤り訂正能力が低下する。また、軟判定尤度値を補正しない場合であっても、同様に、軟判定尤度値を正しく算出することが困難となり、誤り訂正能力が低下する。
【００３３】
これば、雑音電力及び受信電力が独立に変動し、Ｓ／Ｎが一定でない場合は、各時点における瞬時受信振幅に依存する重み係数の比と、各時点におけるＳ／Ｎの比が無相関であることにより、瞬時受信振幅に依存する重み係数を軟判定尤度値に乗算するような補正を行ったとしても、各時点における軟判定尤度値の比は、各時点におけるＳ／Ｎの比と等しくならないことによる。
【００３４】
また、ＡＧＣ回路は、各時点における軟判定尤度値の比を、各時点におけるＳ／Ｎの比に近づけるものではなく、Ｓ／Ｎとは無相関に、総受信信号電力を一定にするものである。従って、補正を行わない場合であっても、正しく軟判定尤度値を算出することは困難である。
【００３５】
本発明はかかる点に鑑みてなされたものであり、受信信号電力は変動するのに対して、その希望波成分と雑音成分との比は変動しない通信環境、又は受信信号電力及びその雑音成分が独立して変動する通信環境において、正しく尤度値を算出し、誤り訂正処理を行うことができる受信装置、誤り訂正復号装置及び誤り訂正復号方法を提供することを目的とする。
【００３６】
【課題を解決するための手段】
本発明の受信装置は、受信信号の総信号電力を一定に保つ利得制御手段と、前記利得制御手段によって総受信信号電力が一定に保たれた信号に対して、その受信符号系列を最尤復号する際に、各受信符号についてその候補符号の尤度を多値レベルの尤度で与えるとともに、この尤度を必要に応じて補正する尤度値算出手段と、前記受信信号に含まれる雑音成分の変動を検出する雑音成分変動検出手段と、前記雑音成分変動検出手段の検出結果に基づいて、前記尤度に対する、前記受信信号の瞬時振幅に依存した前記補正を行うか否かを判断する補正制御手段と、を具備する構成を採る。
【００３７】
この構成によれば、受信信号の雑音成分が一定以上変動した場合は、雑音成分の主成分がマルチパス信号と判断でき、この場合は、受信信号の希望波成分と雑音成分との比（例えばＳ／Ｎ）は変動しないことにより、軟判定尤度値に瞬時受信信号振幅に依存する重み係数を乗算しない。これにより、受信信号の希望波成分と雑音成分との比に従った正しい軟判定尤度値を算出することができ、誤り訂正能力の低下を抑えることができる。
【００３８】
本発明の受信装置は、受信信号の総信号電力を一定に保つ利得制御手段と、前記利得制御手段によって総受信信号電力が一定に保たれた信号に対して、その受信符号系列を最尤復号する際に、各受信符号についてその候補符号の尤度を多値レベルの尤度で与えるとともに、この尤度を必要に応じて補正する尤度値算出手段と、前記受信信号に含まれる希望波成分と雑音成分との比の変動を示唆する情報に基づいて、前記尤度に対する、前記受信信号の瞬時振幅に依存した前記補正を行うか否かを判断する補正制御手段と、を具備する構成を採る。
【００３９】
この構成によれば、受信信号の希望波成分と雑音成分との比の変動を示唆する情報に基づいて、前記尤度に対する、受信信号の瞬時振幅に依存した補正を行うか否かを判断することにより、受信信号に含まれる雑音成分の種類に基づいて、軟判定尤度の補正を的確に行うことができる。
【００４０】
本発明の受信装置は、上記構成において、前記補正制御手段は、前記受信信号が送信電力制御の元で送信されたか否かに基づいて、前記補正の有無を判断する構成を採る。
【００４１】
この構成によれば、受信信号の希望波成分と雑音成分との比の変動を示唆する情報として、送信電力制御が行われたか否かを示す情報を用いることにより、受信信号に含まれる希望波成分と雑音成分との比が一定であるか否かを容易に判断することができる。これにより、軟判定尤度の補正を行うか否かを容易に判断することができる。
【００４２】
本発明の受信装置は、上記構成において、前記補正制御手段は、前記受信信号に含まれる雑音成分の主成分がマルチパスによるものであるか否かに基づいて、前記補正の有無を判断する構成を採る。
【００４３】
この構成によれば、マルチパスによる雑音成分が含まれているか否かに基づいて、受信信号に含まれる希望波成分と雑音成分との比が一定であるか否かを判断することができる。
【００４４】
本発明の受信装置は、受信信号の総信号電力を一定に保つ利得制御手段と、前記利得制御手段によって総受信信号電力が一定に保たれた信号に対して、その受信符号系列を最尤復号する際に、各受信符号についてその候補符号の尤度を多値レベルの尤度で与えるとともに、この尤度に対して、前記受信信号の瞬時振幅に依存した重み係数の乗算及び前記受信信号に含まれる雑音成分値による除算を行う尤度値算出手段と、を具備する構成を採る。
【００４５】
この構成によれば、受信信号の希望波成分と雑音成分とが独立して変動している場合であっても、正しく軟判定尤度値を算出することができる。
【００４６】
本発明の誤り訂正復号装置は、受信信号の受信符号系列を最尤復号する際に、各受信符号についてその候補符号の尤度を多値レベルの尤度で与えるとともに、この尤度に対して、前記受信信号の瞬時振幅に依存した重み係数の乗算及び前記受信信号に含まれる雑音成分値による除算を行う尤度値算出手段と、前記尤度値算出手段において算出された尤度値に基づいて誤り訂正復号を行う復号手段と、を具備する構成を採る。
【００４７】
この構成によれば、受信信号の希望波成分と雑音成分とが独立して変動している場合であっても、正しく軟判定尤度値を算出することができる。
【００４８】
本発明の誤り訂正復号方法は、受信信号の受信符号系列を最尤復号する際に、各受信符号についてその候補符号の尤度を多値レベルの尤度で与えるとともに、この尤度に対して、前記受信信号の瞬時振幅に依存した重み係数の乗算及び前記受信信号に含まれる雑音成分値による除算を行う尤度値算出ステップと、前記尤度値算出手段において算出された尤度値に基づいて誤り訂正復号を行う復号ステップと、を具備するようにした。
【００４９】
この方法によれば、受信信号の希望波成分と雑音成分とが独立して変動している場合であっても、正しく軟判定尤度値を算出することができる。
【００５０】
【発明の実施の形態】
本発明の骨子は、受信信号の雑音成分の変動量、又は、希望波成分と雑音成分との比の変動の有無に基づいて軟判定尤度値の補正の必要性を判断し、不要な補正による誤り訂正能力の低下を防止することである。なお、ここで雑音成分というのは、その要因に関わらず全ての不要な成分を意味するものである。
【００５１】
以下、本発明の実施の形態について、添付図面を参照して詳細に説明する。
【００５２】
（実施の形態１）
図１は、本発明の実施の形態の受信装置の構成を示すブロック図である。
【００５３】
図１において、１００は全体としてＣＤＭＡ方式の受信装置を示し、アンテナ１０１を介して受信された受信信号を、受信ＲＦ（Ｒａｄｉｏ　Ｆｒｅｑｕｅｎｃｙ）部１０２に受ける。受信ＲＦ部１０２は、無線周波数でなる受信信号をベースバンド帯域の信号に変換した後、これをＡＧＣ回路１０３に出力する。
【００５４】
ＡＧＣ回路１０３は、受信信号の総受信信号電力（受信信号電力及び雑音電力の和）を一定に保つような利得制御を行う。総受信信号電力が一定に保たれた受信信号は、ＡＧＣ回路１０３から復調部１０４に出力される。
【００５５】
復調部１０４は、ＡＧＣ回路１０３から出力された一定振幅の受信信号（総受信信号電力）に対して、逆拡散及びＲＡＫＥ合成等の復調処理を施した後、その復調結果である復調信号を誤り訂正復号器１０６及び雑音電力変動量測定部１０５にそれぞれ出力する。
【００５６】
また、ＡＧＣ回路１０３は、上述したようにＡＧＣ処理後の受信信号を出力する一方、ＡＧＣ処理において、変動している受信信号に対してその信号レベルを一定にするように乗算した重み係数（利得調整係数）を誤り訂正復号器１０６及び雑音電力変動量測定部１０５にそれぞれ出力する。この重み係数は、瞬時受信振幅に依存する係数である。具体的には、ＡＧＣ回路１０３に入力された受信信号の大きさの２乗の値等、ＡＧＣ回路１０３に入力される信号（受信信号）の大きさを用いればよい。受信信号の大きさの２乗の値を用いる意味は、誤り訂正復号器１０６において尤度値を求める場合、受信信号が雑音電力の比を反映した大きさになって入力されなければならないことによる。
【００５７】
誤り訂正復号器１０６は、復調部１０４から出力された復調信号と、ＡＧＣ回路１０３から出力された重み係数とを、軟判定尤度値算出部１０７に受ける。軟判定尤度値算出部１０７は、受信振幅重み乗算制御部１０８から出力される制御信号に基づいて、軟判定尤度値の算出処理を実行する。
【００５８】
すなわち、この受信装置１００においては、復調部１０４から出力された復調信号及び、ＡＧＣ回路１０３から出力された重み係数を雑音電力変動量測定部１０５にそれぞれ供給する。図２は、雑音電力変動量測定部１０５の構成を示すブロック図である。この雑音電力変動量測定部１０５は、復調信号及び重み係数を雑音電力測定部１１１に受け、まず、復調信号の雑音成分である瞬時雑音電力を測定する。この場合、雑音電力測定部１１１は、Ｘ個の信号から雑音電力を測定する方法として、例えば、Ｘ個の信号の２乗の平均値からＸ個の信号の平均値の２乗を引いたものを雑音電力として求める。
【００５９】
ここで、復調信号は、ＡＧＣ回路１０３によって総受信電力が一定になるように制御されていることにより、そのままでは正しい瞬時雑音電力を測定することが困難である。従って、雑音電力測定部１１１では、測定した瞬時雑音電力に対して、ＡＧＣ回路１０３から供給された重み係数を乗算する。この重み係数は、瞬時受信振幅に依存していることにより、この重み係数を瞬時雑音電力に乗算することで、ＡＧＣ回路によって総受信電力が一定となるように与えられた雑音電力の変化分を取り除くことができる。
【００６０】
この乗算結果は、瞬時雑音電力値として、遅延器１１２及び比較除算部１１３にそれぞれ出力される。遅延器１１２は、入力された瞬時雑音電力値を所定時間遅延させた後、比較除算部１１３に出力する。比較除算部１１３は、雑音電力測定部１１１から出力される今回の瞬時雑音電力値と、遅延器１１２から出力される所定時間遅延後の瞬時雑音電力値とを比較し、それら２つの瞬時雑音電力値のうち、大きい瞬時雑音電力値から小さい瞬時雑音電力値を除算する。
【００６１】
このようにして除算された結果は、瞬時雑音電力値の変動量を表す測定値（以下、これを雑音電力変動量と称する）となる。雑音電力変動量測定部１０５において得られた雑音電力変動量は、受信振幅重み乗算制御部１０８（図１）に出力される。
【００６２】
受信振幅重み乗算制御部１０８は、雑音電力変動量測定部１０５から出力された雑音電力変動量と、予め設定されている閾値とを比較し、雑音電力変動量が閾値よりも小さい場合は、軟判定尤度値算出部１０７に対して、軟判定尤度値に瞬時受信振幅に依存する重み係数を乗算させるための制御信号を出力する。
【００６３】
また、これに対して、受信振幅重み乗算制御部１０８は、雑音電力変動量測定部１０５から出力された雑音電力変動量が、予め設定されている閾値よりも大きい場合は、軟判定尤度値算出部１０７に対して、軟判定尤度値に瞬時受信振幅に依存する重み係数を乗算させないための制御信号を出力する。
【００６４】
軟判定尤度値算出部１０７は、受信振幅重み乗算制御部１０８から出力された制御信号が、重み係数を乗算させるための制御信号である場合には、このとき復調信号に基づいて算出された軟判定尤度値に対して、瞬時受信振幅に依存する重み係数を乗算する。これに対して、軟判定尤度値算出部１０７は、受信振幅重み乗算制御部１０８から出力された制御信号が、重み係数を乗算させないための制御信号である場合には、このとき復調信号に基づいて算出された軟判定尤度値に対して、瞬時受信振幅に依存する重み係数を乗算せずに、その算出された軟判定尤度値を用いる。
【００６５】
図３は、軟判定尤度算出部１０７における、復調信号に基づく軟判定尤度値の算出方法の説明に供する略線図である。この図３は、１次元（１ビット）の符号に対する軟判定尤度を与えるもので、２次元（２ビット）の場合は、各々のビットに適用し、加算すればよい。
【００６６】
復調信号レベル＋Ｖが符号“０”に対応し、また復調信号レベル−Ｖが符号“１”に対応する。この図３では、符号“０”に対する尤度を表す。この尤度としては、復調信号振幅値に応じて例えば０から１６までの多値が割り当てられる。すなわち、図３の復調信号振幅Ａのような振幅の信号が入力されたとすると、硬判定の場合の尤度は０となる。すなわち、硬判定では復調信号は候補符号“０”に近いことは解るが、その確からしさは十分な精度では判断できない。
【００６７】
一方、本実施の形態による軟判定では尤度は６と与えられる。これは８（２つの符号レベルの中間点）に近い値であることから、候補符号“０”に近いが信頼度は低い値である、と判断できる。
【００６８】
軟判定尤度算出部１０７では、図３に示した方法によって、復調信号の軟判定尤度を算出し、さらに、この算出された軟判定尤度値に対して、瞬時受信振幅に依存する重み係数の乗算による補正の可否を、受信振幅重み乗算制御部１０８からの制御信号に基づいて判断する。そして、制御信号に基づき、補正の必要がある場合には、軟判定尤度値に対して重み係数の乗算による補正を行い、またこれに対して、補正の必要がない場合には、軟判定尤度値に対して重み係数の乗算を行わない。
【００６９】
このようにして、軟判定尤度値算出部１０７において算出及び必要に応じた補正が施された軟判定尤度値は、図４に示す誤り訂正復号器１０６において、加算比較選択部１２１に出力される。
【００７０】
加算比較選択部１２１は、軟判定尤度値算出部１０７から出力された軟判定尤度値を受けると、状態尤度メモリ１２２に記憶されている直前時点の状態尤度の値に、可能な状態遷移の軟判定尤度値を加算し、新たな状態尤度を求める。そして、加算比較選択部１２１は、一つの状態に至る複数の状態遷移の状態尤度を比較し、その中から最大値の状態尤度を持つ遷移を選択して、選択された遷移の状態尤度を新たな状態尤度として状態尤度メモリ１２２を更新する。
【００７１】
また、加算比較選択部１２１は、同時に選択された遷移の情報ｊ（ｉ）（状態ｊから状態ｉに遷移したことを表す）をパスメモリ１２３に出力する。パスメモリ１２３は、この遷移情報ｊ（ｉ）又は遷移した状態番号を系列的に記憶しておき、最尤判定部１２４において、最終時点で選択されて残った状態遷移から復号結果を得る。
【００７２】
以上の構成において、一般に、誤り訂正復号における尤度は、Ｓ／Ｎによって変化する。従って、各時点における軟判定尤度値の比は、各時点におけるＳ／Ｎの比と等しくなければならない。
【００７３】
この点について、図１３について上述したように、受信信号に含まれている雑音電力がほぼ一定である場合、各時点におけるＳ／Ｎの比と、瞬時受信振幅に依存する重み係数の比とは等しい関係にある。従って、受信装置１００では、このような通信環境において、ＡＧＣ回路の出力信号に基づいて算出された軟判定尤度値に対して重み係数を乗算することにより、Ｓ／Ｎの比と一致した正確な軟判定尤度値の比を求めることができる。
【００７４】
これに対して、受信信号に含まれている雑音電力が変動している場合、各時点における瞬時受信振幅に依存する重み係数の比と、各時点におけるＳ／Ｎの比は無相関である。従って、受信装置１００では、このような通信環境においては、雑音電力変動量測定部１０５の測定結果として、所定の閾値以上の雑音変動量が得られることにより、この雑音変動量の検出結果に基づいて、受信振幅重み乗算制御部１０８による重み係数の軟判定尤度値に対する乗算（軟判定尤度値の補正）を行わないように制御する。
【００７５】
この場合、図１８に示したように、ＡＧＣ回路に入力される受信信号として、そのＳ／Ｎの比が保たれたまま変動しているものとすると、ＡＧＣ回路から出力される復調信号は、その総受信信号電力が一定に保たれていることにより、雑音電力の成分も一定に保たれる。すなわち、この場合の復調信号は、Ｓ／Ｎの比が一定に保たれていることとなる。従って、この復調信号は、「各時点における軟判定尤度値の比は各時点におけるＳ／Ｎの比と等しくなければならない」という上述した条件に合致した状態となっている。
【００７６】
従って、このような場合には、軟判定尤度値に対する重み係数の乗算（軟判定尤度値の補正）を行わないことにより、正確な軟判定尤度値を得ることができる。因みに、受信信号のＳ／Ｎの比が保たれたまま変動する結果となる通信環境の例を以下に述べる。
【００７７】
受信信号のＳ／Ｎの比が保たれたまま変動する第１の例を説明する。ＣＤＭＡ通信においては、マルチパス信号等が干渉となり、このマルチパス信号が雑音電力の主成分となる場合がある。このような場合、マルチパス信号はレイク合成受信によって信号電力にもなるため、雑音電力の変動と受信信号の電力はほぼ一致し、その結果、総受信信号電力が変動しても、Ｓ／Ｎの比の変動は少なくなる。
【００７８】
次に、第２の例を説明する。受信装置において受信された信号に対して、その送信元において送信電力制御が行われている場合がある。送信電力制御では、雑音電力や受信信号電力がフェージングによって変動しても、受信側でのＳ／Ｎが常に一定になるように送信側で送信電力を制御するものであることにより、受信信号電力が変動しても、Ｓ／Ｎは変動しない通信環境となる。
【００７９】
従って、雑音電力がある一定量以上変動し、受信装置１００の雑音電力変動量測定部１０５において測定された雑音電力変動量に基づいてその変動状態が検出された場合には、受信装置１００では、当該検出結果に基づいて雑音電力の主成分がマルチパス信号であること、又は受信信号が送信電力制御を受けた信号であると判断することができる。
【００８０】
そして、このような場合には、ＡＧＣ回路１０３によって総受信信号電力の値が一定となるような利得制御がなされても、その結果に基づいて得られた軟判定尤度値の補正を行わないことにより、正確な軟判定尤度値を得ることができる。
【００８１】
図５は、受信装置１００による誤り訂正復号処理手順を示すフローチャートである。図５に示すように、受信装置１００は、ステップＳＴ１０１において受信信号の雑音電力値を測定し、ステップＳＴ１０２において、雑音電力値の変動量を求める。そして、受信装置１００は、続くステップＳＴ１０３に移って、上述のステップＳＴ１０２において求められた雑音電力値の変動量が閾値よりも大きいか否かを判断する。
【００８２】
このステップＳＴ１０３において肯定結果が得られると、このことは、雑音電力値の変動量が閾値よりも大きいこと、すなわち、軟判定尤度値の補正を行うと正しい軟判定尤度値が得られず、その結果、軟判定尤度値の補正に伴って誤り訂正能力の低下を招くおそれが生じる状態であることを意味しており、このとき、受信装置１００は、ステップＳＴ１０４に移って、軟判定尤度値に対する補正を行わずに誤り訂正処理を行う。
【００８３】
これに対して、ステップＳＴ１０３において否定結果が得られると、このことは、雑音電力値の変動量が閾値よりも小さいこと、すなわち、軟判定尤度値の補正を行うことによって正しい軟判定尤度値を得ることができ、その結果、一定の誤り訂正能力を維持することができる状態であることを意味しており、このとき、受信装置１００は、ステップＳＴ１０５に移って、軟判定尤度値に対する補正を伴う誤り訂正処理を行う。
【００８４】
このように、本実施の形態の受信装置によれば、受信信号の雑音電力成分の変動量に基づいて、重み付け処理を行うか否かを制御するようにしたことにより、正確な軟判定尤度値の算出を行うことができる。
【００８５】
なお、上述の実施の形態においては、雑音電力変動量の測定方法として、前回測定した瞬時雑音電力値と今回測定した雑音電力値とを比較し、その値が大きい方から小さい方を除算する場合について述べたが、本発明はこれに限らず、例えば、過去所定回数分の測定雑音電力値の平均を求め、その平均値と今回の測定雑音電力値とを比較し、その値の大きい方から小さい方を除算する等、要は、雑音電力の変化量を表す方法であれば、他の方法を用いることができる。
【００８６】
また、上述の実施の形態においては、軟判定尤度値を補正する方法として、瞬時受信振幅に依存する重み係数を用いる場合について述べたが、本発明はこれに限らず、ＡＧＣ回路１０３における利得調整係数（総受信電力を一定に保つように受信信号振幅に乗算する係数であって、仮に電力Ｋに保つためのＡＧＣ回路では、Ｋ＝（利得調整係数・受信信号）２の（Ｋは電力であることにより２乗する）関係が成り立つ）の２乗の逆数を用いるようにしてもよい。このように、ＡＧＣ回路１０３の利得調整係数は、瞬時受信振幅に依存した係数の逆数になっていることにより、この利得調整係数を用いれば、新たに瞬時受信振幅に依存した係数を算出する必要がなく、その分、軟判定尤度値の補正処理を簡単に行うことができる。
【００８７】
また、上述の実施の形態においては、雑音電力に着目し、受信信号の希望波成分と雑音成分との比としてＳ／Ｎを用いる場合について述べたが、このＳ／ＮにはＳＩＲ（Ｓｉｇｎａｌ　Ｉｎｔｅｒｆｅｒｅｎｃｅ　Ｒａｔｉｏ）も含まれる。
【００８８】
また、上述の実施の形態においては、誤り訂正復号器１０６として、ビタビ復号器を用いる場合について述べたが、本発明はこれに限らず、例えば送信側でターボ符号化を行い、これに併せて受信側でターボ復号を行う等、他の符号化及び復号化方法を用いるようにしてもよい。
【００８９】
（実施の形態２）
図６は、本発明の実施の形態２に係る受信装置２００の構成を示すブロック図である。但し、図１と同一の構成となるものについては、図１と同一番号を付し、詳しい説明を省略する。
【００９０】
図６に示す受信装置２００は、図１について上述した受信装置１００に比べて、雑音電力値を測定することに代えて、送信電力制御が行われているか否かを判断し、その判断結果に基づいて軟判定尤度値の補正の可否を判断するようになされている点が異なる。
【００９１】
すなわち、図６において受信装置２００は、復調部１０４において復調された結果である復調信号を、誤り訂正復号器１０６の軟判定尤度値算出部１０７に出力すると共に、送信電力制御部２０１に出力する。
【００９２】
送信電力制御部２０１は、復調信号に含まれる、送信電力制御が行われているか否かを示す制御情報を受信振幅重み乗算制御部２０８に出力する。ここで、送信電力制御とは、受信装置２００が受信した受信信号が送信電力制御の元で送信元から送信されたものであることを意味する。受信振幅重み乗算制御部２０８は、送信電力制御部２０１から出力された制御情報に基づいて、送信電力制御が行われているか否かを判断し、送信電力制御が行われていない場合には、軟判定尤度値算出部１０７に対して、軟判定尤度値に瞬時受信振幅に依存する重み係数を乗算させるための制御信号を出力する。
【００９３】
また、これに対して、送信電力制御が行われている場合には、受信振幅重み乗算制御部２０８は、軟判定尤度値算出部１０７に対して、軟判定尤度値に瞬時受信振幅に依存する重み係数を乗算させないための制御信号を出力する。
【００９４】
これにより、送信電力制御が行われている場合、受信信号のＳ／Ｎは常に一定となっており、軟判定尤度値に対する瞬時受信信号振幅に依存する重み係数の乗算（軟判定尤度値の補正）が行われない。これにより、Ｓ／Ｎに従った、正しい軟判定尤度値の算出が行われることにより、送信電力制御が行われている信号を受信した場合においても、その誤り訂正能力の低下を抑えることができる。
【００９５】
因みに、図７は、受信装置２００における、誤り訂正復号処理手順を示すフローチャートである。図７に示すように、受信装置２００は、ステップＳＴ２０１において受信信号（復調信号）から送信電力制御の有無を示す制御情報を抽出し、ステップＳＴ２０２において、その制御情報に基づいて、受信信号が送信電力制御の元で送信されたものであるか否かを判断する。
【００９６】
このステップＳＴ２０２において肯定結果が得られると、このことは、送信電力制御が行われていること、すなわち、受信信号のＳ／Ｎが一定であり軟判定尤度値の補正を行うと正しい軟判定尤度値が得られず、その結果、軟判定尤度値の補正に伴って誤り訂正能力の低下を招くおそれが生じる状態であることを意味しており、このとき、受信装置２００は、ステップＳＴ２０３に移って、軟判定尤度値に対する補正を行わずに誤り訂正処理を行う。
【００９７】
これに対して、ステップＳＴ２０２において否定結果が得られると、このことは、送信電力制御が行われていないこと、すなわち、受信信号のＳ／Ｎが一定ではなく、軟判定尤度値の補正を行うことによって正しい軟判定尤度値を得ることができ、その結果、一定の誤り訂正能力を維持することができる状態であることを意味しており、このとき、受信装置２００は、ステップＳＴ２０４に移って、軟判定尤度値に対する補正を伴う誤り訂正処理を行う。
【００９８】
このように、本実施の形態の受信装置によれば、受信信号の制御情報に基づいて、その受信信号が送信電力制御の元で送信されたものであるか否かを判断し、その判断結果に基づいて、重み付け処理を行うか否かを制御するようにしたことにより、正確な軟判定尤度値の算出を行うことができる。
【００９９】
なお、上述の実施の形態においては、軟判定尤度値を補正する方法として、瞬時受信振幅に依存する重み係数を用いる場合について述べたが、本発明はこれに限らず、ＡＧＣ回路１０３における利得調整係数（総受信電力を一定に保つように受信信号振幅に乗算する係数であって、仮に電力Ｋに保つためのＡＧＣ回路では、Ｋ＝（利得調整係数・受信信号）２の（Ｋは電力であることにより２乗する）関係が成り立つ）の２乗の逆数を用いるようにしてもよい。このように、ＡＧＣ回路１０３の利得調整係数は、瞬時受信振幅に依存した係数の逆数になっていることにより、この利得調整係数を用いれば、新たに瞬時受信振幅に依存した係数を算出する必要がなく、その分、軟判定尤度値の補正処理を簡単に行うことができる。
【０１００】
また、上述の実施の形態においては、雑音電力に着目し、受信信号の希望波成分と雑音成分との比としてＳ／Ｎを用いる場合について述べたが、このＳ／ＮにはＳＩＲも含まれる。
【０１０１】
また、上述の実施の形態においては、誤り訂正復号器１０６として、ビタビ復号器を用いる場合について述べたが、本発明はこれに限らず、例えば送信側でターボ符号化を行い、これに併せて受信側でターボ復号を行う等、他の符号化及び復号化方法を用いるようにしてもよい。
【０１０２】
（実施の形態３）
図８は、本発明の実施の形態３に係る受信装置３００の構成を示すブロック図である。但し、図１と同一の構成となるものについては、図１と同一番号を付し、詳しい説明を省略する。
【０１０３】
図８に示す受信装置３００は、図１について上述した受信装置１００に比べて、雑音電力値を測定することに代えて、現在通信中のセル及び他セルからの受信電力に基づいて他セル干渉量を算出し、復調部１０４においてデータ復調に使用したフィンガ数と他セル干渉量に基づいて、軟判定尤度値の補正の可否を判断するようになされている点が異なる。
【０１０４】
すなわち、図８において受信装置３００は、セルサーチ部３０１及びフィンガ割り当て制御部３０２を有し、セルサーチ部３０１は、他セルからの受信電力を、現在通信中のセルからの受信電力で除算し、その除算結果を他セル干渉量として受信振幅重み乗算制御部３０８に出力する。
【０１０５】
また、フィンガ割り当て制御部３０２は、復調部１０４におけるデータ復調時のレイク合成受信処理に使用したフィンガ数を、受信振幅重み乗算制御部３０８に出力する。
【０１０６】
受信振幅重み乗算制御部３０８は、セルサーチ部３０１から出力された他セル干渉量と、予め設定されている閾値とを比較し、他セル干渉量が閾値より小さく、かつ、フィンガ割り当て制御部３０２から出力されるフィンガ数が複数である場合は、軟判定尤度値算出部１０７に対して、軟判定尤度値に瞬時受信振幅に依存する重み係数を乗算させないための制御信号を出力する。
【０１０７】
また、これに対して、他セル干渉量が閾値より小さいこと、又は、フィンガ数が複数であることの少なくともいずれか一方が成立しない場合には、受信振幅重み乗算制御部３０８は、軟判定尤度値算出部１０７に対して、軟判定尤度値に瞬時受信振幅に依存する重み係数を乗算させるための制御信号を出力する。
【０１０８】
このように、他セル干渉量が小さく、かつ、フィンガ数が複数である場合は、受信信号の雑音電力値の主成分がマルチパスによるものであり、この場合には、受信信号のＳ／Ｎは変動しないものと判断することができ、軟判定尤度値算出部１０７において軟判定尤度値に対する重み係数の乗算（軟判定尤度値の補正）を行わないようにする。従って、Ｓ／Ｎに従った正しい軟判定尤度値を算出することができ、誤り訂正能力の低下を抑えることができる。
【０１０９】
因みに、図９は、受信装置３００における、誤り訂正復号処理手順を示すフローチャートである。図９に示すように、受信装置３００は、ステップＳＴ３０１において受信信号に関する他セル干渉量及びフィンガ数を読み込み、ステップＳＴ３０２において、その他セル干渉量及びフィンガ数に基づいて、他セル干渉量が閾値よりも小さいこと及びフィンガ数が複数であることの両方が成立しているか否かを判断する。
【０１１０】
このステップＳＴ３０２において肯定結果が得られると、このことは、受信信号の雑音電力値の主成分がマルチパスによるものであること、すなわち、受信信号のＳ／Ｎが一定であり軟判定尤度値の補正を行うと正しい軟判定尤度値が得られず、その結果、軟判定尤度値の補正に伴って誤り訂正能力の低下を招くおそれが生じる状態であることを意味しており、このとき、受信装置３００は、ステップＳＴ３０３に移って、軟判定尤度値に対する補正を行わずに誤り訂正処理を行う。
【０１１１】
これに対して、ステップＳＴ３０２において否定結果が得られると、このことは、受信信号の雑音電力値の主成分がマルチパスによるものではないこと、すなわち、受信信号のＳ／Ｎが一定ではなく、軟判定尤度値の補正を行うことによって正しい軟判定尤度値を得ることができ、その結果、一定の誤り訂正能力を維持することができる状態であることを意味しており、このとき、受信装置３００は、ステップＳＴ３０４に移って、軟判定尤度値に対する補正を伴う誤り訂正処理を行う。
【０１１２】
このように、本実施の形態の受信装置によれば、受信信号に関する他セル干渉量及びフィンガ数に基づいて、その受信信号の雑音電力値の主成分がマルチパスによるものであるか否かを判断し、その判断結果に基づいて、重み付け処理を行うか否かを制御するようにしたことにより、正確な軟判定尤度値の算出を行うことができる。
【０１１３】
なお、上述の実施の形態においては、軟判定尤度値を補正する方法として、瞬時受信振幅に依存する重み係数を用いる場合について述べたが、本発明はこれに限らず、ＡＧＣ回路１０３における利得調整係数（総受信電力を一定に保つように受信信号振幅に乗算する係数であって、仮に電力Ｋに保つためのＡＧＣ回路では、Ｋ＝（利得調整係数・受信信号）２の（Ｋは電力であることにより２乗する）関係が成り立つ）の２乗の逆数を用いるようにしてもよい。このように、ＡＧＣ回路１０３の利得調整係数は、瞬時受信振幅に依存した係数の逆数になっていることにより、この利得調整係数を用いれば、新たに瞬時受信振幅に依存した係数を算出する必要がなく、その分、軟判定尤度値の補正処理を簡単に行うことができる。
【０１１４】
また、上述の実施の形態においては、雑音電力に着目し、受信信号の希望波成分と雑音成分との比としてＳ／Ｎを用いる場合について述べたが、このＳ／ＮにはＳＩＲも含まれる。
【０１１５】
また、上述の実施の形態においては、誤り訂正復号器１０６として、ビタビ復号器を用いる場合について述べたが、本発明はこれに限らず、例えば送信側でターボ符号化を行い、これに併せて受信側でターボ復号を行う等、他の符号化及び復号化方法を用いるようにしてもよい。
【０１１６】
（実施の形態４）
図１０は、本発明の実施の形態４に係る受信装置４００の構成を示すブロック図である。但し、図１と同一の構成となるものについては、図１と同一番号を付し、詳しい説明を省略する。
【０１１７】
図１０に示す受信装置４００は、図１について上述した受信装置１００に比べて、雑音電力変動量を測定することに代えて、瞬時雑音電力値を測定し、この測定された瞬時雑音電力値と、瞬時受信振幅に依存する重み係数とに基づいて軟判定尤度値を補正することにより、雑音電力値及び受信信号電力値が独立に変動している場合であっても、Ｓ／Ｎに従った正しい軟判定尤度値を算出するようにした点が異なる。
【０１１８】
すなわち、図１０において受信装置４００は、瞬時雑音電力値を測定する雑音電力変動量測定部４０１を有する。この雑音電力変動量測定部４０１は、復調部１０４から出力される復調信号及び、ＡＧＣ回路１０３から出力される瞬時受信振幅に依存する重み係数を受ける。
【０１１９】
この復調信号は、ＡＧＣ回路１０３によって総受信電力が一定になるように制御されていることにより、そのままでは正しい瞬時雑音電力を測定することが困難である。従って、雑音電力変動量測定部４０１では、測定した瞬時雑音電力に対して、ＡＧＣ回路１０３から供給された重み係数を乗算する。この重み係数は、瞬時受信振幅に依存していることにより、この重み係数を瞬時雑音電力に乗算することで、ＡＧＣ回路１０３によって総受信電力が一定となるように与えられた雑音電力の変化分を取り除くことができる。この乗算結果は、瞬時雑音電力値として、誤り訂正復号器１０６の軟判定尤度値算出部４０７に出力される。
【０１２０】
軟判定尤度値算出部４０７は、復調部１０４から出力される復調信号（ＡＧＣ制御された受信信号に基づく復調信号）に基づいて軟判定尤度値を算出し、その算出された軟判定尤度値に瞬時受信振幅に依存する重み係数を乗算し、さらに、その乗算結果を、雑音電力変動量測定部４０１から出力される瞬時雑音電力値で除算する。
【０１２１】
これにより、総受信信号電力に含まれる受信信号電力値及び雑音電力値が独立して変動する場合であっても、総受信信号電力値の変動分については瞬時受信振幅に依存する重み係数の乗算によって補償し、さらに雑音電力値の変動分については、瞬時雑音電力による除算によって補償する。
【０１２２】
かくして、雑音電力値及び受信信号電力値が独立して変動している場合であっても、Ｓ／Ｎに従った正しい軟判定尤度値を算出することができ、誤り訂正能力の低下を抑えることができる。
【０１２３】
因みに、図１１は、受信装置４００の軟判定尤度値算出部４０７における、軟判定尤度値の補正処理手順を示すフローチャートである。図１１に示すように、軟判定尤度値算出部４０７は、ステップＳＴ４０１において受信信号に関する復調信号、重み係数（瞬時受信振幅に依存する重み係数）及び瞬時雑音電力値を取得し、続くステップＳＴ４０２において、復調信号に基づく軟判定尤度値の算出を行う。
【０１２４】
そして、軟判定尤度値算出部４０７は、ステップＳＴ４０３に移って、上述のステップＳＴ４０２において算出された軟判定尤度値に対して、瞬時受信振幅に依存する重み係数の乗算及び瞬時雑音電力値による除算を行う。このように、軟判定尤度値に対して、瞬時受信振幅に依存する重み係数の乗算を行うことにより、ＡＧＣ回路１０３において総受信信号電力が一定に保たれた受信信号に対して、そのＡＧＣ回路１０３による処理前の状態を復元し、さらにこの復元された信号を瞬時雑音電力値によって除算することにより、雑音電力値の変動がない状態での受信信号電力値に基づく軟判定尤度値、すなわち、各時点でのＳ／Ｎの比と等しい軟判定尤度値の比を得ることができる。
【０１２５】
因みに、図１２は、受信信号電力値及び雑音電力値が独立して変動している場合において、軟判定尤度値に瞬時受信振幅に依存する重み係数を乗算し、さらに雑音電力で除算した補正を行った場合の、各時点における補正後の軟判定尤度値を示す図である。
【０１２６】
この図１２に示すように、各時点における補正後の軟判定尤度値の比は、図１９について上述した、一定のＳ／Ｎの比を保ったまま変動する受信信号電力及び雑音電力の場合と同様の結果となり、この結果からも正しく軟判定尤度値を算出できたことがわかる。
【０１２７】
かくして、受信信号電力値及び雑音電力値が独立して変動している場合であっても、Ｓ／Ｎに従った正しい軟判定尤度値を算出することができる。
【０１２８】
このように、本実施の形態の受信装置によれば、瞬時雑音電力値を測定し、この測定された瞬時雑音電力値と、瞬時受信振幅に依存する重み係数とに基づいて軟判定尤度値を補正することにより、雑音電力値及び受信信号電力値が独立に変動している場合であっても、Ｓ／Ｎに従った正しい軟判定尤度値を算出することができる。
【０１２９】
なお、上述の実施の形態においては、軟判定尤度値を補正する方法として、瞬時受信振幅に依存する重み係数を用いる場合について述べたが、本発明はこれに限らず、ＡＧＣ回路１０３における利得調整係数（総受信電力を一定に保つように受信信号振幅に乗算する係数であって、仮に電力Ｋに保つためのＡＧＣ回路では、Ｋ＝（利得調整係数・受信信号）２の（Ｋは電力であることにより２乗する）関係が成り立つ）の２乗の逆数を用いるようにしてもよい。このように、ＡＧＣ回路１０３の利得調整係数は、瞬時受信振幅に依存した係数の逆数になっていることにより、この利得調整係数を用いれば、新たに瞬時受信振幅に依存した係数を算出する必要がなく、その分、軟判定尤度値の補正処理を簡単に行うことができる。
【０１３０】
また、上述の実施の形態においては、雑音電力に着目し、受信信号の希望波成分と雑音成分との比としてＳ／Ｎを用いる場合について述べたが、このＳ／ＮにはＳＩＲも含まれる。
【０１３１】
また、上述の実施の形態においては、誤り訂正復号器１０６として、ビタビ復号器を用いる場合について述べたが、本発明はこれに限らず、例えば送信側でターボ符号化を行い、これに併せて受信側でターボ復号を行う等、他の符号化及び復号化方法を用いるようにしてもよい。
【０１３２】
【発明の効果】
以上説明したように、本発明によれば、受信信号電力が変動するのに対して、受信信号の希望波成分と雑音成分との比は変動しない通信環境、又は受信信号電力及び雑音成分電力が独立して変動する通信環境において、正しく尤度値を算出し、誤り訂正処理を行うことができる。
【図面の簡単な説明】
【図１】本発明の実施の形態１に係る受信装置の構成を示すブロック図
【図２】実施の形態１に係る雑音電力変動量測定部の構成を示すブロック図
【図３】軟判定尤度値の算出処理の説明に供する略線図
【図４】実施の形態１に係る誤り訂正復号器の構成を示すブロック図
【図５】実施の形態１に係る誤り訂正復号処理手順を示すフローチャート
【図６】本発明の実施の形態２に係る受信装置の構成を示すブロック図
【図７】実施の形態２に係る誤り訂正復号処理手順を示すフローチャート
【図８】本発明の実施の形態３に係る受信装置の構成を示すブロック図
【図９】実施の形態３に係る誤り訂正復号処理手順を示すフローチャート
【図１０】本発明の実施の形態４に係る受信装置の構成を示すブロック図
【図１１】実施の形態４に係る軟判定尤度値の補正処理手順を示すフローチャート
【図１２】実施の形態４に係る軟判定尤度値の補正結果を示す図
【図１３】雑音電力の変動がない通信環境における受信信号波形を示す信号波形図
【図１４】雑音電力の変動がない通信環境におけるＳ／Ｎ（受信信号電力／雑音電力）を示す図
【図１５】雑音電力の変動がない通信環境における受信信号のＡＧＣ処理後の波形を示す信号波形図
【図１６】雑音電力の変動がない通信環境における受信信号のＡＧＣ処理後の信号の軟判定尤度値（補正なし）を示す図
【図１７】雑音電力の変動がない通信環境における受信信号のＡＧＣ処理後の信号の軟判定尤度値（補正あり）を示す図
【図１８】Ｓ／Ｎを保ちながら受信信号電力及び雑音電力が変動する通信環境における受信信号波形を示す信号波形図
【図１９】Ｓ／Ｎを保ちながら受信信号電力及び雑音電力が変動する通信環境におけるＳ／Ｎを示す図
【図２０】Ｓ／Ｎを保ちながら受信信号電力及び雑音電力が変動する通信環境における受信信号波形のＡＧＣ処理後の波形を示す信号波形図
【図２１】Ｓ／Ｎを保ちながら受信信号電力及び雑音電力が変動する通信環境における受信信号波形のＡＧＣ処理後の信号の軟判定尤度値（補正なし）を示す図
【図２２】Ｓ／Ｎを保ちながら受信信号電力及び雑音電力が変動する通信環境における受信信号波形のＡＧＣ処理後の信号の軟判定尤度値（補正あり）を示す図
【図２３】受信信号電力及び雑音電力が独立して変動する通信環境における受信信号波形を示す信号波形図
【図２４】受信信号電力及び雑音電力が独立して変動する通信環境における受信信号のＳ／Ｎを示す図
【図２５】受信信号電力及び雑音電力が独立して変動する通信環境における受信信号のＡＧＣ処理後の波形を示す信号波形図
【図２６】受信信号電力及び雑音電力が独立して変動する通信環境における受信信号のＡＧＣ処理後の信号の軟判定尤度値（補正あり、補正なし）を示す図
【符号の説明】
１００、２００、３００、４００　受信装置
１０１　アンテナ
１０２　受信ＲＦ部
１０３　ＡＧＣ回路
１０４　復調部
１０５　雑音電力変動量測定部
１０６　誤り訂正復号器
１０７、４０７　軟判定尤度値算出部
１０８、２０８、３０８　受信振幅重み乗算制御部
１１１、４０１　雑音電力測定部
１１２　遅延器
１１３　比較除算部
２０１　送信電力制御部
３０１　セルサーチ部
３０２　フィンガ割り当て制御部
【図１】
2004104717.tif 000003
【図２】
2004104717.tif 000004
【図３】
2004104717.tif 000005
【図４】
2004104717.tif 000006
【図５】
2004104717.tif 000007
【図６】
2004104717.tif 000008
【図７】
2004104717.tif 000009
【図８】
2004104717.tif 000010
【図９】
2004104717.tif 000011
【図１０】
2004104717.tif 000012
【図１１】
2004104717.tif 000013
【図１２】
2004104717.tif 000014
【図１３】
2004104717.tif 000015
【図１４】
2004104717.tif 000016
【図１５】
2004104717.tif 000017
【図１６】
2004104717.tif 000018
【図１７】
2004104717.tif 000019
【図１８】
2004104717.tif 000020
【図１９】
2004104717.tif 000021
【図２０】
2004104717.tif 000022
【図２１】
2004104717.tif 000023
【図２２】
2004104717.tif 000024
【図２３】
2004104717.tif 000025
【図２４】
2004104717.tif 000026
【図２５】
2004104717.tif 000027
【図２６】
2004104717.tif 000028